(57)【要約】【課題】【解決手段】本発明は、誘導ユニット（１２）が少なくとも１つの同期信号（１４）を送信する、エネルギーを誘導伝送するための方法、特にエネルギー蓄積器（１０）を充電するための方法から出発する。１つの同期ステップで前記同期信号（１４）の少なくとも１つの信号特性量を調整することが提案される。【選択図】図３
2019506836.tif 000002
【特許請求の範囲】
【請求項１】
誘導ユニット（１２）が少なくとも１つの同期信号（１４）を送信する、エネルギーを誘導伝送するための方法、特にエネルギー蓄積器（１０）を充電するための方法において、少なくとも１つの同期ステップで前記同期信号（１４）の少なくとも１つの信号特性量を調整することを特徴とする方法。
【請求項２】
少なくとも１つの方法ステップで、前記少なくとも１つの同期信号（１４）を送信するために、前記誘導ユニット（１２）を、少なくとも実質的に負荷作動電圧源（１８）とは独立に構成されている定電圧源（１６）と結合させることを特徴とする、請求項１に記載の方法。
【請求項３】
少なくとも１つの他の同期ステップで、少なくとも１つの他の同期信号（２０）を発生させ、該少なくとも１つの他の同期信号は、前記同期信号（１４）と少なくとも実質的に同じ最大電圧（２２）を受信ユニット（２４）において発生させることを特徴とする、請求項１または２に記載の方法。
【請求項４】
少なくとも１つの方法ステップで、前記同期信号（１４，２０）の送信周波数（２６）を調整することを特徴とする、請求項１から３までのいずれか一項に記載の方法。
【請求項５】
前記送信周波数（２６）を、前記誘導ユニット（１２）の負荷作動電圧源（１８）の電圧（２８）に依存して調整することを特徴とする、請求項４に記載の方法。
【請求項６】
前記送信周波数（２６）を、少なくとも１つの方法ステップで、受信ユニット（２４）の反応に依存して反復的に変化させることを特徴とする、少なくとも請求項４に記載の方法。
【請求項７】
少なくとも１つの方法ステップで、前記同期信号（１４，２０）の送信時間（３０）を調整することを特徴とする、請求項１から６までのいずれか一項に記載の方法。
【請求項８】
前記送信時間（３０）を、前記誘導ユニット（１２）の負荷作動電圧源（１８）の電圧（２８）に依存して調整することを特徴とする、請求項７に記載の方法。
【請求項９】
前記信号特性量を、受信ユニット（２４）のタイプに依存して調整することを特徴とする、請求項１から８までのいずれか一項に記載の方法。
【請求項１０】
請求項１から９までのいずれか一項に記載の方法を実施するための誘導ユニット。
【請求項１１】
請求項１０に記載の少なくとも１つの誘導ユニット（１２）を備えた誘導充電装置。
【請求項１２】
前記誘導ユニット（１２）を負荷作動電圧源（１８）または定電圧源（１６）と選択的に結合させるために設けられた切換えユニット（３４）を有することを特徴とする、請求項１１に記載の誘導充電装置。
【請求項１３】
前記同期信号（１４，２０）を受信するために設けられた少なくとも１つの受信ユニット（２４）を有することを特徴とする、少なくとも請求項１２に記載の誘導充電装置。
【発明の詳細な説明】
【背景技術】
【０００１】
誘導ユニットが少なくとも１つの同期信号を送信する、エネルギーを誘導伝送するための方法、特にエネルギー蓄積器を充電するための方法は、すでに提案されている。
【発明の概要】
【０００２】
本発明は、誘導ユニットが少なくとも１つの同期信号を送信する、エネルギーを誘導伝送するための方法、特にエネルギー蓄積器を充電するための方法から出発する。
【０００３】
少なくとも１つの同期ステップで、同期信号の少なくとも１つの信号特性量を調整することが提案される。
【０００４】
好ましくは、手持ち工作機械用の少なくとも１つのエネルギー蓄積器、特に手持ち工作機械用の複数のエネルギー蓄積器を充電するための方法が設けられている。「設けられている」とは、特に、特別にプログラミング、設計および／または備え付けられているということである。対象物が特定の機能のために設けられているとは、特に、対象物がこの特定の機能を少なくとも１つの使用状態および／または作動状態で充足および／または実施するということである。これに関連して、「手持ち工作機械」とは、特に、工作物を加工する機械、しかし有利には穿孔機、ハンマードリルおよび／またはスライドハンマー、鋸、かんな、ドライバー、フライス、グラインダ、アングルグラインダ、園芸用具、および／または、多機能工具のことである。好ましくは、充電されるエネルギー蓄積器は少なくとも１つのバッテリーパックを有している。好ましくは、エネルギー蓄積器は５０Ｖ以下の、有利には４０Ｖ以下の、特に有利には２０Ｖ以下の定格電圧を有する。充電されるエネルギー蓄積器は１０．０Ａｈ以下の、有利には５．０Ａｈ以下の、特に有利には４．０Ａｈ（時間）以下の蓄積容量を有する。これに関連して、「誘導ユニット」とは、とりわけ、特にエネルギー源から、特にエネルギー供給網から提供される電気エネルギーを変換して誘導送信するために特に設けられた電子送信ユニット、および／または、誘導伝送される電気エネルギーを受け取り、および／または少なくとも一時的に蓄積するために特に設けられた電子受信ユニットのことである。特に、誘導ユニットは少なくとも１つの発振回路を有しており、該発振回路は、とりわけ、特に交流磁場を発生させるために設けられた少なくとも１つのコイルと、少なくとも１つの共振コンデンサとを含んでいる。
【０００５】
これに関連して、「同期信号」とは、とりわけ、電気信号、デジタル信号またはアナログ信号、特に少なくとも１つの電圧信号および／または電流信号のことである。特に、同期信号は、エネルギー誘導伝送の開始前または開始時に受信ユニットをスリープモードおよび／または省電力から覚醒させるため、受信ユニットを受信状態へもたらすため、および／または、受信ユニットを送信ユニットと同期させるために設けられている。好ましくは、同期信号は、エネルギー誘導伝送を中断した後に、特に異物検知を目的として中断した後に、受信ユニットをスリープモードおよび／または省電力から覚醒させるため、受信状態へもたらすため、および／または、受信ユニットを送信ユニットと同期させるために設けられている。好ましくは、同期信号は、特に１ｍｓと２０ｍｓとの間のパルス幅を備えたパルスの形態で形成されている。好ましくは、同期信号は、少なくとも実質的に矩形パルスとして形成されている出力推移を有している。特に、同期信号の出力推移は矩形パルスから２０％以下で、好ましくは１０％以下で、特に有利には５％以下でずれている。これに関連して、「信号特性量」とは、特に、たとえば信号電力、信号電圧、信号電流、信号継続時間および／または信号周波数によって形成されている同期信号の特性量のことである。特に、同期信号の信号特性量は、誘導ユニットの少なくとも１つの作動パラメータに依存して調整され、たとえばネットワーク入力電圧、充電されるエネルギー蓄積器の電圧階級、送信ユニットと受信ユニットとの間の距離、および／または、送信ユニットと受信ユニットとの間の指向方向に依存して調整される。特に、誘導ユニットは、同期信号の信号特性量を調整するために設けられた制御ユニットおよび／または調整ユニットを有している。「制御ユニットおよび／または調整ユニット」とは、特に、少なくとも１つの電子制御機構を備えたユニットのことである。「電子制御機構」とは、特に、プロセッサユニットおよびメモリユニット並びにメモリユニットに保存されている作動プログラムを備えたユニットのことである。
【０００６】
この種の構成により、誘導ユニットの同期に関して、特に送信ユニットと受信ユニットとの間の同期に関して有利な特性を備えたこの種のエネルギー誘導伝送方法を、特にエネルギー伝送の開始時に提供することができる。特に同期信号の信号特性量を調整することにより、作動パラメータの交替時でも確実なおよび／または信頼性のある同期を達成させることができる。
【０００７】
さらに、少なくとも１つの方法ステップで、少なくとも１つの同期信号を送信するために、誘導ユニットを、少なくとも実質的に負荷作動電圧源とは独立に構成されている定電圧源と結合させることが提案される。「負荷作動電圧源」とは、特に、エネルギー誘導伝送の間に誘導ユニットに電気エネルギーを供給するために設けられた電圧源のことである。特に、負荷作動電圧源とはエネルギー供給網である。これに関連して、「定電圧源」とは、特に、時間的に少なくとも実質的に一定の電圧を提供する電圧源のことである。特に、定電圧源から提供される電圧は、少なくとも実質的に、接続された消費装置によって消費される。特に、誘導ユニットは、前記方法ステップの前にまたはその間に、少なくとも１つの同期信号を送信するために、特に定電圧源との結合の前に負荷作動電圧源から切り離される。これによって、同期信号を送信するためにほぼ一定の電圧を、特に負荷作動電圧源の出力電圧が変動した場合でも提供できるので有利である。
【０００８】
さらに、少なくとも１つの他の同期ステップで、少なくとも１つの他の同期信号を発生させ、該少なくとも１つの他の同期信号は、前記同期信号と少なくとも実質的に同じ最大電圧を受信ユニットにおいて発生させることが提案される。特に、他の同期信号の最大電圧は、前記同期信号の最大電圧から最大で１０％、好ましくは最大で５％、特に有利には最大で２％ずれている。これによって、有利な信頼性のある、特に周期的な同期を達成することができる。
【０００９】
さらに、少なくとも１つの方法ステップで、同期信号の送信周波数を調整することが提案される。好ましくは、送信周波数を共振周波数の値よりも小さい値または大きい値に調整する。特に、同期信号の励起周波数を調整する。特に、送信周波数を誘導ユニットの少なくとも１つの作動パラメータに依存して調整する。同期信号の送信周波数を調整することにより、同期信号の有利な簡単な整合を可能にさせることができる。
【００１０】
加えて、送信周波数を、誘導ユニットの負荷作動電圧源の電圧に依存して調整することが提案される。特に、送信周波数を調整するために、同期信号の送信中に負荷作動電圧源の出力電圧を連続的に測定する。特に、負荷作動電圧源の電圧が減少するにつれて送信周波数が共振周波数の方向へシフトするように送信周波数を調整する。負荷作動電圧源の電圧が増大する場合には、送信周波数が共振周波数から離れる方向へシフトするように送信周波数を特に調整する。負荷作動電圧源の電圧に依存して送信周波数を調整することにより、負荷作動電圧源の電圧が変動しても、受信器に少なくとも実質的に一定の電圧が生じることを達成できる。
【００１１】
さらに、送信周波数を、少なくとも１つの方法ステップで、受信ユニットの反応に依存して反復的に変化させることが提案される。好ましくは、それぞれの送信周波数を反復的に共振周波数に接近させる。特に、送信周波数を、受信器側での低共振電圧値に相当しているスタート値から出発して、受信ユニットの応答信号が受信されるまで歩進的に共振周波数に接近させる。これとは択一的に、それぞれの送信周波数を共振周波数に調整し、その後反復的に共振周波数から離間させることができる。特に、送信周波数を、少なくとも実質的に共振周波数に相当するスタート値から出発して、受信ユニットの応答が辛うじて受信される間は、共振から歩進的にシフトさせる。これによって、送信ユニットと受信器ユニットとの間の有利な確実な同期を達成できる。
【００１２】
さらに、同期信号の送信時間を調整することが提案される。好ましくは、送信時間を、誘導ユニットの負荷作動電圧源の電圧に依存して調整する。これによって、特に負荷作動電圧源の電圧が変動した時に、有利な確実な同期を行うことができる。
【００１３】
さらに、信号特性量を、受信ユニットのタイプに依存して調整することが提案される。特に、誘導ユニットは受信ユニットのタイプをコード化を用いて特に自動的に認識することができる。これとは択一的に、または、これに加えて、受信ユニットのタイプを操作者が直接誘導ユニットで調整することができる。これによって、種々の作動パラメータを備えた受信器ユニットでの信号特性量の有利な調整を可能にすることができる。
【００１４】
さらに、本発明による方法を実施するための誘導ユニットを備えた誘導充電装置が提案される。好ましくは、誘導充電装置は、手持ち工作機械用の少なくとも１つのエネルギー蓄積器の充電のために、特に手持ち工作機械用の複数のエネルギー蓄積器の充電のために設けられている。好ましくは、誘導充電装置は、同期信号を受信するために設けられた少なくとも１つの受信ユニットを有している。この種の構成により、受信ユニットとの同期に関し有利な特性を備えた誘導充電装置を提供することができる。
【００１５】
さらに、誘導充電装置が、誘導ユニットを負荷作動電圧源または定電圧源と選択的に結合させるために設けられた切換えユニットを有することが提案される。定電圧源は、特に、少なくとも実質的に負荷作動電圧源とは独立である。特に、切換えユニットは、同期信号の送信中に誘導ユニットを定電圧源と結合させるために設けられている。さらに、切換えユニットは、特に、誘導ユニットを同期信号の送信前および／または送信中に負荷作動電圧源から切り離すために設けられている。これによって、特に負荷作動電圧源の出力電圧が変動する場合でも、同期信号を送信するためにほぼ一定の電圧を提供できるので有利である。
【００１６】
なお、本発明による方法は、上述した適用例および実施形態に限定されているわけではない。特に、本発明による方法は、ここで述べられている機能を充足させるため、ここで取り上げた数量の個々の要素、構成部材およびユニットとは異なる数量のものを有していてよい。
【図面の簡単な説明】
【００１７】
他の利点は、以下の図面を用いた説明から明らかである。図面には、本発明の実施形態が図示されている。図面と、本明細書と、請求の範囲とは、多くの構成要件を組合わせで含んでいる。当業者であれば、これらの構成要件を目的に応じて個別に考察することも、更なる有意義な組み合わせのために統合させることも行うであろう。
【図１】誘導ユニットと受信ユニットとを備えた誘導充電装置の斜視図である。
【図２】充電過程の時間的推移を示す図である。
【図３】負荷作動電圧源と定電圧源との間で切換えを行うための切換えユニットの概略図である。
【図４】共振電圧と複数の励起電圧に対する周波数との関係を示すグラフである。
【図５】励起電圧の種々の電圧値で一定の共振電圧を得るために必要な、励起電圧の周波数の変化を示すグラフである。
【発明を実施するための形態】
【００１８】
図１は、誘導ユニット１２と受信ユニット２４とを備えた誘導充電装置３２の斜視図である。受信ユニット２４は、エネルギー蓄積ユニット１０内に組み込まれている。誘導充電装置３２は、エネルギー蓄積ユニット１０を誘導充電するために設けられている。エネルギー蓄積ユニット１０は、手持ち工作機械のバッテリーとして形成されている。誘導ユニット１２は、充電過程の間に電気エネルギーを受信ユニット２４へ伝送するために設けられている。このため、エネルギー蓄積ユニット１０は誘導充電装置３２の誘導ユニット１２の上に載置される。
【００１９】
エネルギー蓄積ユニット１０を充電している間、誘導ユニット１２と受信ユニット２４との間でのエネルギー伝送は周期的に中断される。特に、誘導ユニット１２と受信ユニット２４との間でのエネルギー伝送は、異物検知を行うために周期的に中断される。充電過程の間にエネルギー伝送を中断するのが必要なのは、誘導ユニット１２と受信ユニット２４との間でエネルギー伝送を行っている間に、異物が、特に充電過程の間に存在する交番磁界のために加熱され得る異物が、誘導ユニット１２と受信ユニット２４との間に到達するのを阻止できないからである。図２は、充電過程の時間的推移を示している。充電過程の第１の段階３８で、誘導ユニット１２と受信ユニット２４との間でエネルギー伝送が行われる。第２の段階４０で、異物検知を行うためにエネルギー伝送が中断される。第３の段階４２で、同期信号１４が誘導ユニット１２から受信ユニット２４へ送られる。同期信号１４，２０はパルス４４の形態で形成されている。パルス４４は、特に１ｍｓと２０ｍｓとの間のパルス幅を有している。同期信号１４は、少なくとも実質的に矩形パルスとして形成されている出力推移および／または電圧推移を有している。同期信号１４は、異物検知の目的でエネルギー伝送を中断した後に受信ユニット２４をスリープモードおよび／または省電力から覚醒させ、受信状態へもたらし、および／または、受信ユニット２４を誘導ユニット１２と同期させるために設けられている。同期信号１４の後に通信段階４６が続く。通信段階４６は、たとえば、誘導ユニット１２と受信ユニット２４との間での伝送効率を確立させるために用いられる。通信段階４６に続いて、誘導ユニット１２と受信ユニット２４との間でのエネルギー伝送が再び開始される。以上説明した経緯は１回の充電過程の間に周期的に繰り返される。誘導ユニット１２によって生じた更なる同期信号２０は、最初に生じた同期信号１４と少なくとも実質的に同じ最大電圧２２を受信ユニット２４内に生じさせる。
【００２０】
同期ステップでは、同期信号１４の少なくとも１つの信号特性量が調整される。特に同期信号１４，２０を受信ユニット２４内へ伝送している間に配電電圧が変動した場合および／または他の妨害が生じた場合にも一定の電圧を達成させるために、特に同期信号１４の信号特性量が調整される。同期信号１４，２０を伝送している間の受信ユニット２４内での一定の電圧は、受信ユニット２４の確実な覚醒および／または同期を保証するために必要である。同期信号１４，２０を伝送している間の受信ユニット２４内での一定の電圧を達成するため、誘導ユニット１２を、同期信号１４，２０を送信するための方法ステップにおいて定電圧源１６と結合させる。定電圧源１６は、好ましくは安定化電圧源である。定電圧源１６は、少なくとも実質的に、エネルギー伝送中に誘導ユニット１２と結合される負荷作動電圧源１８とは独立に形成されている。誘導充電装置３２は切換えユニット３４を有し、該切換えユニットは、誘導ユニット１２を負荷作動電圧源１８または定電圧源１６と選択的に結合させるために設けられている。図３は切換えユニット３４の概略図である。切換えユニット３４は３つの切換え位置４８，５０，５２を有している。第１の切換え位置４８では、パルスユニットは、誘導ユニット１２と受信ユニット２４との間でのエネルギー伝送のための電圧２８を提供するために設けられた負荷作動電圧源１８と結合されている。第２の切換え位置５０では、誘導ユニット１２は、同期信号１４，２０を送信するための電圧を提供するために設けられた定電圧源１６と結合されている。第３の切換え位置５２では、誘導ユニット１２は、通信段階４６のための電圧を提供するために設けられた他の定電圧源５４と結合されている。
【００２１】
負荷作動電圧源１８と定電圧源１６との間での切換えの代わりに、またはこれに加えて、少なくとも１つの方法ステップで同期信号１４，２０の送信周波数２６を調整することができる。送信周波数２６は、誘導ユニット１２の負荷作動電圧源１８の電圧２８に依存して調整することができる。図４には、共振電圧５６と複数の励起電圧６０，６２，６４のための周波数５８との関係がグラフで図示されている。誘導ユニット１２と受信ユニット２４との間でのエネルギー伝送は、通常どおり共振周波数６８付近の周波数範囲６６で行われる。なお、原理的に言えば、最大共振電圧付近の共振電圧５６が形成される。同期信号１４，２０の伝送の際に、高すぎる電圧および／または電力を受信ユニット２４へ印加させないために、誘導ユニット１２は、特に誘導ユニット１２の振動回路は、同期信号１４，２０を送信している間に、共振周波数６８から離れた周波数範囲７０，７２にある送信周波数２６で励起される。図５は、同期信号１４，２０の固定設定された電圧値７４に対し、励起電圧６０，６２，６４を設定した時の同期信号１４，２０の最大電圧２２の変化を補償するには、励起電圧６０，６２，６４の送信周波数２６をいかに変化させねばならないかを明示したものである。これとは択一的に、送信周波数２６を受信ユニット２４の反応に依存して反復的に変化させてよい。好ましくは、送信周波数２６を反復的に共振周波数６８に接近させる。特に、受信器側で低共振電圧値に相当するスタート値から出発して、受信ユニット２４の応答信号が受信されるまで送信周波数２６を歩進的に共振周波数６８に接近させる。これとは択一的に、それぞれの送信周波数２６を共振周波数６８に調整し、その後に反復的に共振周波数６８から離れるようにしてよい。特に、少なくとも実質的に共振周波数６８に相当するスタート値から出発して、受信ユニット２４の応答が辛うじて受信される間は、送信周波数２６を歩進的に共振からシフトさせてよい。
【００２２】
すでに述べたこととは択一的に、またはこれに加えて、少なくとも１つの方法ステップで、同期信号１４，２０の送信時間３０を調整してよい。送信時間３０は、誘導ユニット１２の負荷作動電圧源１８の電圧２８に依存して調整される。さらに、これとは択一的にまたはこれに加えて、信号特性量を受信ユニット２４のタイプに依存して調整することが考えられる。特に、誘導ユニット１２は受信ユニット２４のタイプを特に自動的にコード化により認知することができる。これとは択一的にまたはこれに加えて、受信ユニット２４のタイプを操作者が直接誘導ユニット１２で調整してよい。
【符号の説明】
【００２３】
１０  エネルギー蓄積ユニット（エネルギー蓄積器）
１２  誘導ユニット
１４  同期信号
１６  定電圧源
１８  負荷作動電圧源
２０  同期信号
２２  最大電圧
２４  受信ユニット
２６  同期信号の送信周波数
２８  負荷作動電圧源の電圧
３０  送信時間
３４  切換えユニット
【図１】
2019506836.tif 000003
【図２】
2019506836.tif 000004
【図３】
2019506836.tif 000005
【図４】
2019506836.tif 000006
【図５】
2019506836.tif 000007
【手続補正書】
【提出日】平成30年8月28日(2018.8.28)
【手続補正２】
【補正対象書類名】特許請求の範囲
【補正対象項目名】全文
【補正方法】変更
【補正の内容】
【特許請求の範囲】
【請求項１】
誘導ユニット（１２）が少なくとも１つの同期信号（１４）を送信する、エネルギーを誘導伝送するための方法において、少なくとも１つの同期ステップで前記同期信号（１４）の少なくとも１つの信号特性量を調整することを特徴とする方法。
【請求項２】
少なくとも１つの方法ステップで、前記少なくとも１つの同期信号（１４）を送信するために、前記誘導ユニット（１２）を、少なくとも実質的に負荷作動電圧源（１８）とは独立に構成されている定電圧源（１６）と結合させることを特徴とする、請求項１に記載の方法。
【請求項３】
少なくとも１つの他の同期ステップで、少なくとも１つの他の同期信号（２０）を発生させ、該少なくとも１つの他の同期信号は、前記同期信号（１４）と少なくとも実質的に同じ最大電圧（２２）を受信ユニット（２４）において発生させることを特徴とする、請求項１または２に記載の方法。
【請求項４】
少なくとも１つの方法ステップで、前記同期信号（１４，２０）の送信周波数（２６）を調整することを特徴とする、請求項１から３までのいずれか一項に記載の方法。
【請求項５】
前記送信周波数（２６）を、前記誘導ユニット（１２）の負荷作動電圧源（１８）の電圧（２８）に依存して調整することを特徴とする、請求項４に記載の方法。
【請求項６】
前記送信周波数（２６）を、少なくとも１つの方法ステップで、受信ユニット（２４）の反応に依存して反復的に変化させることを特徴とする、請求項４または５に記載の方法。
【請求項７】
少なくとも１つの方法ステップで、前記同期信号（１４，２０）の送信時間（３０）を調整することを特徴とする、請求項１から６までのいずれか一項に記載の方法。
【請求項８】
前記送信時間（３０）を、前記誘導ユニット（１２）の負荷作動電圧源（１８）の電圧（２８）に依存して調整することを特徴とする、請求項７に記載の方法。
【請求項９】
前記信号特性量を、受信ユニット（２４）のタイプに依存して調整することを特徴とする、請求項１から８までのいずれか一項に記載の方法。
【請求項１０】
エネルギー蓄積器（１０）を充電するための方法である、請求項１から９までのいずれか一項に記載の方法。
【請求項１１】
請求項１から１０までのいずれか一項に記載の方法を実施するための誘導ユニット。
【請求項１２】
請求項１１に記載の少なくとも１つの誘導ユニット（１２）を備えた誘導充電装置。
【請求項１３】
前記誘導ユニット（１２）を負荷作動電圧源（１８）または定電圧源（１６）と選択的に結合させるために設けられた切換えユニット（３４）を有することを特徴とする、請求項１２に記載の誘導充電装置。
【請求項１４】
前記同期信号（１４，２０）を受信するために設けられた少なくとも１つの受信ユニット（２４）を有することを特徴とする、請求項１２または１３に記載の誘導充電装置。
【国際調査報告】
2019506836.tif 000008
2019506836.tif 000009
2019506836.tif 000010
2019506836.tif 000011